(57)【要約】 【課題】  リスト状のユーザ履歴情報を明確に表示することができるユーザ移動履歴表示装置およびユーザ移動履歴情報表示方法を提供することを目的とする。【解決手段】  ユーザ移動履歴取得部２０１は、所定時間ごとに取得される、ユーザの位置に基づいたユーザの状態を示す状態情報と、当該状態情報の取得時刻を示す時刻情報とを対応付けたユーザ履歴情報を記憶するサーバ３００（ユーザ移動履歴データベース３００ａ）から複数のユーザ履歴情報を取得する。そして、統合部２０２（時間単位履歴クラスタ生成部２０３）は、時刻情報に基づいて時系列順で並んだ複数のユーザ履歴情報のうち、所定時間単位に占める割合の大きいユーザ履歴情報に統合し、統合されたユーザ履歴情報を時刻情報順に表示する。【選択図】  図２
2011043972.tif 000002
【特許請求の範囲】
【請求項１】
所定時間ごとに取得される、ユーザの位置に基づいたユーザの状態を示す状態情報と、当該状態情報の取得時刻を示す時刻情報とを対応付けたユーザ履歴情報を記憶する記憶手段から複数のユーザ履歴情報を取得する取得手段と、
前記取得手段により取得された、時系列順で並んだ複数のユーザ履歴情報のうち、所定時間単位に占める割合の大きいユーザ履歴情報に統合する統合手段と、
前記統合手段により統合されたユーザ履歴情報を前記時刻情報順に表示する表示手段と、
を備えるユーザ移動履歴表示装置。
【請求項２】
前記統合手段は、さらに状態情報が同一となる、時系列的に隣接するユーザ履歴情報同士を統合することを特徴とする請求項１に記載のユーザ移動履歴表示装置。
【請求項３】
前記記憶手段には、状態情報に加えて、ユーザの位置に基づいた地名情報が対応付けられたユーザ履歴情報が記憶され、
前記統合手段は、さらに地名情報が同一となる、時系列的に隣接するユーザ履歴情報同士を統合することを特徴とする請求項１に記載のユーザ移動履歴表示装置。
【請求項４】
前記記憶手段には、状態情報に加えて、ユーザの位置に基づいた地名情報が対応付けられたユーザ履歴情報が記憶され、
前記統合手段は、さらに地名情報および状態情報の両方が同一となる、時系列的に隣接するユーザ履歴情報同士を統合することを特徴とする請求項１に記載のユーザ移動履歴表示装置。
【請求項５】
所定時間ごとに取得される、ユーザの位置に基づいたユーザの状態を示す状態情報と、当該状態情報の取得時間を示す時刻情報とを対応付けたユーザ履歴情報を記憶する記憶手段から複数のユーザ履歴情報を取得する取得ステップと、
前記取得ステップにより取得された、時系列順で並んだ複数のユーザ履歴情報のうち、所定時間単位に占める割合の大きいユーザ履歴情報に統合する統合ステップと、
前記統合ステップにより統合されたユーザ履歴情報を表示する表示ステップと、
を備えるユーザ移動履歴表示方法。
【発明の詳細な説明】
【技術分野】
【０００１】
本発明は、ユーザの移動履歴を管理するユーザ移動履歴表示装置およびユーザ移動履歴表示方法に関する。
【背景技術】
【０００２】
ユーザの移動履歴を収集し、これを表示することが考えられている。ユーザの移動履歴を表示する方法として、行動履歴を生データのまま使用することが考えられるが、その履歴取得頻度が多いと情報量が多くなり、見づらいものとなる。そのため、特許文献１（特開２００８−１０７９１６号公報）に記載の技術においては、移動履歴を地図上に表示するに際して、移動履歴からユーザが滞在していた場所や、ユーザが往復する経路を判定し、線分の太さを変えたり、円で囲むなどしてクラスタ表示するなどの処理を行っている。
【先行技術文献】
【特許文献】
【０００３】
【特許文献１】特開２００８−１０７９１６号公報
【発明の概要】
【発明が解決しようとする課題】
【０００４】
一方、ユーザ（携帯端末）の位置に基づいて定められた状態（例えば在宅中、通勤中など）を状態情報として、第三者に知らせたい、または管理したい場合がある。この場合、状態情報を時系列に並べたリスト形式にした情報を、Ｗｅｂサーバ等を介して第三者に知らせることができる。例えば、図7（ａ）に示すようなリスト形式でユーザの移動履歴・状態情報を表示させることができる。
【０００５】
しかしながら、ユーザの状態情報は短時間に変わる場合が想定でき、その場合リストの中に全ての状態情報を漏れなく入れることは困難となる。
【０００６】
そこで、上述の課題を解決するために、ユーザ履歴情報をリスト状に明確に表示することができるユーザ移動履歴表示装置およびユーザ移動履歴情報表示方法を提供することを目的とする。
【課題を解決するための手段】
【０００７】
上述の課題を解決するために、本発明のユーザ移動履歴表示装置は、所定時間ごとに取得される、ユーザの位置に基づいたユーザの状態を示す状態情報と、当該状態情報の取得時刻を示す時刻情報とを対応付けたユーザ履歴情報を記憶する記憶手段から複数のユーザ履歴情報を取得する取得手段と、前記取得手段により取得された、時系列順で並んだ複数のユーザ履歴情報のうち、所定時間単位に占める割合の大きいユーザ履歴情報に統合する統合手段と、前記統合手段により統合されたユーザ履歴情報を前記時刻情報順に表示する表示手段と、を備えている。
【０００８】
また、本発明のユーザ移動履歴情報表示方法は、所定時間ごとに取得される、ユーザの位置に基づいたユーザの状態を示す状態情報と、当該状態情報の取得時間を示す時刻情報とを対応付けたユーザ履歴情報を記憶する記憶手段から複数のユーザ履歴情報を取得する取得ステップと、前記取得ステップにより取得された、時系列順で並んだ複数のユーザ履歴情報のうち、所定時間単位に占める割合の大きいユーザ履歴情報に統合する統合ステップと、前記統合ステップにより統合されたユーザ履歴情報を表示する表示ステップと、を備えている。
【０００９】
この発明によれば、所定時間ごとに取得される、ユーザの位置に基づいたユーザの状態を示す状態情報と、当該状態情報の取得時刻を示す時刻情報とを対応付けたユーザ履歴情報を記憶する記憶手段から複数のユーザ履歴情報を取得し、取得された、時刻情報に基づいて時系列順で並んだ複数のユーザ履歴情報のうち、所定時間単位に占める割合の大きいユーザ履歴情報に統合し、統合されたユーザ履歴情報を時刻情報順に表示する。これにより、ユーザ履歴情報をそのまま表示した場合と比較して、表示の煩雑さを解消することができ、人にとって違和感のない表示を実現することができる。さらに、ユーザ履歴情報にノイズ（例えば、誤った状態情報が含まれているなど）が含まれていたとしても、そのノイズを除去することができ、より正しいユーザ履歴情報を表示することができる。
【００１０】
また、本発明のユーザ移動履歴表示装置において、前記統合手段は、さらに状態情報が同一となる、時系列的に隣接するユーザ履歴情報同士を統合することが好ましい。
【００１１】
この発明によれば、さらに状態情報が同一となる、時系列的に隣接するユーザ履歴情報同士を統合することにより、同じ状態情報を含んだユーザ履歴情報を並べて表示することが無くなり、より見やすい表示を実現することができる。
【００１２】
また、本発明のユーザ移動履歴表示装置において、前記記憶手段には、状態情報に加えて、ユーザの位置に基づいた地名情報が対応付けられたユーザ履歴情報が記憶され、前記統合手段は、さらに地名情報が同一となる、時系列的に隣接するユーザ履歴情報同士を統合することが好ましい。
【００１３】
この発明によれば、状態情報に加えて、ユーザの位置に基づいた地名情報が対応付けられたユーザ履歴情報が記憶され、さらに地名情報が同一となる、時系列的に隣接するユーザ履歴情報同士を統合する。これにより、同じ地名情報を含んだユーザ履歴情報を並べて表示することが無くなり、より見やすい表示を実現することができる。
【００１４】
また、本発明のユーザ移動履歴表示装置において、前記記憶手段には、状態情報に加えて、ユーザの位置に基づいた地名情報が対応付けられたユーザ履歴情報が記憶され、前記統合手段は、さらに地名情報および状態情報の両方が同一となる、時系列的に隣接するユーザ履歴情報同士を統合することが好ましい。
【００１５】
この発明によれば、状態情報に加えて、ユーザの位置に基づいた地名情報が対応付けられたユーザ履歴情報が記憶され、さらに地名情報および状態情報の両方が同一となる、時系列的に隣接するユーザ履歴情報同士を統合する。これにより、同じ状態情報および地名情報を含んだユーザ履歴情報を並べて表示することが無くなり、より見やすい表示を実現することができる。
【発明の効果】
【００１６】
本発明によれば、ユーザ履歴情報をそのまま表示した場合と比較して、表示の煩雑さを解消することができ、人にとって違和感のない表示を実現することができる。さらに、ユーザ履歴情報にノイズ（例えば、誤った状態情報が含まれているなど）が含まれていたとしても、そのノイズを除去することができ、より正しいユーザ履歴情報を表示することができる。
【図面の簡単な説明】
【００１７】
【図１】本実施形態のユーザ移動履歴表示システムのシステム構成を示すシステム構成図である。
【図２】ユーザ移動履歴表示装置２００の構成を示すブロック図である。
【図３】ユーザ移動履歴表示装置２００のハードウェア構成図である。
【図４】ユーザ履歴情報の生データからマージして簡略化したマージ後のデータを示す説明図である。
【図５】第２段階のマージが行われたデータを示す説明図である。
【図６】ユーザ移動履歴表示装置２００の処理を示すフローチャートである。
【図７】クラスタ化されたユーザ履歴情報の表示状態それぞれを比較した説明図である。
【発明を実施するための形態】
【００１８】
添付図面を参照しながら本発明の実施形態を説明する。可能な場合には、同一の部分には同一の符号を付して、重複する説明を省略する。
【００１９】
図１は、本実施形態のユーザ移動履歴表示システムのシステム構成を示すシステム構成図である。図１に示されるとおり、このユーザ移動履歴表示システム１は、移動機１００、ユーザ移動履歴表示装置２００、およびサーバ３００を含んで構成されている。なお、ユーザ移動履歴表示装置２００は、サーバ３００が記憶している各種データベースを記憶するようにしてもよい。
【００２０】
移動機１００は、例えばＧＰＳ機能を有している携帯電話であって、所定周期ごと（例えば５分ごとに）に自機の位置を測位し、その位置情報をサーバ３００に送信する。なお、所定周期ごとに測位した位置情報を自機に記憶しておき、いくつかの位置情報を纏めてサーバ３００に送信してもよい。
【００２１】
サーバ３００では、受信した移動機１００の位置情報をユーザ移動履歴データベース３００ａに記憶する。例えば、図３（ａ）に示すように、ユーザＩＤ、移動機１００の緯度・経度、位置に対応したユーザの行動を示す行動情報、および測位日時からなるユーザ履歴情報を受信し、これを記憶している。なお、行動情報は、ユーザの状態を示す状態情報であって、その位置に応じて予め定められたユーザの状態が示されている。この状態情報は、移動機１００において生成されてサーバ３００に送信されてもよいし、サーバ３００において、位置情報に基づいて予め定められた状態情報が付与されてもよい。
【００２２】
ユーザ移動履歴表示装置２００は、サーバ３００が記憶するユーザ移動履歴データベース３００ａからユーザ履歴情報を取得し、そのユーザ履歴情報に含まれている位置情報および状態情報に基づいて、クラスタ化して、複数のユーザ履歴情報を一つのユーザ履歴情報に統合する処理を行い、統合して整理されたユーザ履歴情報をリスト形式で表示する。
【００２３】
以下、このように構成されたユーザ移動履歴表示システム１のユーザ移動履歴表示装置２００の構成について説明する。図２は、ユーザ移動履歴表示装置２００の構成を示すブロック図である。図２に示すとおり、ユーザ移動履歴表示装置２００は、ユーザ移動履歴取得部２０１（取得手段）、時間単位履歴クラスタ生成部２０３（統合手段）、行動情報履歴クラスタ生成部２０４（統合手段）、地名割当部２０５、履歴クラスタ出力部２０６、および表示部２０７（表示手段）を含んで構成されている。
【００２４】
このユーザ移動履歴表示装置２００は、ＣＰＵ等のハードウェアから構成されているものである。図３は、ユーザ移動履歴表示装置２００のハードウェア構成図である。図２に示されるユーザ移動履歴表示装置２００は、物理的には、図３に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２５】
ユーザ移動履歴取得部２０１は、サーバ３００に記憶されているユーザ移動履歴データベース３００ａからユーザ移動履歴データを取得する部分である。移動履歴データの取得は、本装置のオペレータの操作によりなされるが、任意のタイミングとしてもよい。なお、このサーバ３００に記憶されているユーザ移動履歴データベース３００ａは、ユーザ移動履歴表示装置２００内に備えてもよい。
【００２６】
統合部２０２は、ユーザ移動履歴取得部２０１により取得された複数のユーザ履歴情報を統合する部分である。具体的には、統合部２０２は、所定時間単位に占める割合の大きい状態情報に基づいてユーザ履歴情報を統合し、また時系列に並んだユーザ履歴情報の隣接するユーザ履歴情報が同一であるもの同士を統合する。この統合部２０２は、上述の処理を実行するために、時間単位履歴クラスタ生成部２０３、および行動情報履歴クラスタ生成部２０４を含んで構成されている。
【００２７】
時間単位履歴クラスタ生成部２０３は、ユーザ移動履歴取得部２０１により取得されたユーザ履歴情報を所定時間単位でマージし、クラスタ化する部分である。具体的には、時間単位履歴クラスタ生成部２０３は、所定周期で取得された複数のユーザ履歴情報を所定の時間単位でくくり、それぞれの時間単位で占めるユーザの状態情報の割合が大きいものに基づいて、それぞれの時間単位ごとのユーザの状態情報を一つにする部分である。
【００２８】
図４を用いて、より詳細にユーザ履歴情報のクラスタ化について説明する。図４は、ユーザ履歴情報の生データからマージして簡略化したマージ後のデータを示す説明図である。図４（ａ）は、ユーザ履歴情報の生データを示し、図４（ｂ）は、所定時間単位でマージしたデータを示す。
【００２９】
図４（ａ）は、ユーザ履歴情報の生データを示し、ユーザ（移動機１００）を特定するユーザＩＤ、ユーザの位置を示す緯度・経度、ユーザの行動を示す状態情報、その位置情報の取得日時から構成されている。この取得日時は本実施形態では５分おきとされている。また、この生データにおけるユーザの行動を示す状態情報にはある程度のノイズが含まれている場合もある。例えば、位置情報の誤差により状態情報が正しくない場合もありえるし、また状態情報の決定の仕方によっては、位置情報が同じであっても状態情報は異なって登録されている場合がある。例えば、ユーザが状態情報を手動で決定して移動機１００に登録し、その登録した情報に基づいてユーザ履歴情報が構成された場合、ユーザが操作誤りをした場合、それはノイズとなる。
【００３０】
図４（ｂ）は、３０分単位の時間単位でユーザ履歴情報をマージしたデータを示す説明図である。例えば、生データにおいて、７：００では“自宅”、７：０５では“外出中”、７：０５以降７：４５までは“自宅”であった場合、７：００から７：３０までの時間帯で、どの状態情報の占める割合が大きいか判断して、その占める割合の大きい状態情報を、その時間帯のユーザの状態情報とすることを示している。図４（ｂ）では、“自宅”にいる場合が多いため、統合されたユーザ履歴情報では、その状態情報は“自宅”と記されている。
【００３１】
行動情報履歴クラスタ生成部２０４は、時間単位履歴クラスタ生成部２０３により統合された複数のユーザ履歴情報の状態情報および地名情報の隣接するユーザ履歴情報の同一性の程度に基づいて、複数のユーザ履歴情報をマージし、クラスタ化する部分である。ここで地名情報とは、ユーザの緯度・経度に基づいて決定された地名を示す情報であり、地名割当部２０５により割り当てられた情報である。
【００３２】
より具体的には、この行動情報履歴クラスタ生成部２０４は、時間単位履歴クラスタ生成部２０３により統合され、時系列的に並べられた複数のユーザ履歴情報のうち、状態情報および地名情報が一致する、隣接のユーザ履歴情報をマージしクラスタ化する。図５にその具体的な処理について説明する。図５は、時間単位履歴クラスタ生成部２０３によりマージされたデータ、すなわち第１段階のマージされたデータに対して、第２段階のマージを行い、クラスタ化したユーザ履歴情報の変遷を示す説明図である。図５（ａ）は、第１段階のマージされたユーザ履歴情報を示す図であり、図５（ｂ）は、第２段階のマージされたユーザ履歴情報を示す図である。
【００３３】
図５（ａ）で示されるとおり、ユーザ履歴情報のうち状態情報には、その行動を示す情報とともに地名が付されている。この地名は、地名割当部２０５により割り当てられた情報である。この図５（ａ）に示されているユーザ履歴情報のそれぞれが、隣接するユーザ履歴情報の状態情報および地名情報と一致する場合、図５（ｂ）に示されるように、そのユーザ履歴情報はマージされる。図５（ａ）では、７：００台のユーザ履歴情報と、それに隣接する７：３０台のユーザ履歴情報とが、状態情報“自宅（鎌倉）”で一致しており、これらユーザ履歴情報は、マージされ、一つのユーザ履歴情報となる。
【００３４】
引き続き、図２の説明を行う。地名割当部２０５は、サーバ３００に記憶されている地理データベース３００ｂの地理データを参照して、ユーザの緯度・経度から地名情報を取得し、行動情報履歴クラスタ生成部２０４に出力する。行動情報履歴クラスタ生成部２０４は、出力された地名情報をユーザ履歴情報に合成し、クラスタ化処理のために使用する。なお、地理データベース３００ｂは、緯度・経度と地名情報とが対応付けられたデータベースである。地名割当部２０５は、緯度・経度をユーザ移動履歴データベース３００ａから取得し、対応する地名情報を取得することができる。なお、この地理データベース３００ｂは、サーバ３００に備えられているが、これに限らず、ユーザ移動履歴表示装置２００内に備えるようにしてもよい。
【００３５】
履歴クラスタ出力部２０６は、統合部２０２においてクラスタ化処理されたユーザ履歴情報を表示部２０７に出力する部分である。
【００３６】
表示部２０７は、履歴クラスタ出力部２０６から出力されたユーザ履歴情報を表示する部分である。
【００３７】
つぎに、このように構成されたユーザ移動履歴表示装置２００の処理について説明する。図６は、ユーザ移動履歴表示装置２００の処理を示すフローチャートである。
【００３８】
まず、ユーザ移動履歴表示装置２００において、ユーザ移動履歴取得部２０１によりユーザ履歴情報がユーザ移動履歴データベース３００ａから取得される（Ｓ１０１）。つぎに、時間単位履歴クラスタ生成部２０３により、ユーザ履歴情報は、所定時間単位でその占める割合の大きい状態情報に基づいて、マージされクラスタ化される（Ｓ１０２）。
【００３９】
つぎに、クラスタ化されたユーザ履歴情報に含まれている緯度・経度に基づいて地名情報が地名割当部２０５により割り当てられる（Ｓ１０３）。そして、地名情報が割り当てられたユーザ履歴情報のそれぞれに対して、時系列的に隣接するユーザ履歴情報の状態情報および地名情報が一致する場合、そのユーザ履歴情報はマージされ、クラスタ化される（Ｓ１０４）。クラスタ化されたユーザ履歴情報は履歴クラスタ出力部２０６により、表示部２０７に出力され、表示部２０７において、マージされクラスタ化されたユーザ履歴情報が表示される（Ｓ１０５）。
【００４０】
つぎに、このように処理されたユーザ移動履歴表示装置２００の作用効果について説明する。図７は、クラスタ化されたユーザ履歴情報の表示状態それぞれを比較した説明図である。図７（ａ）は、従来の表示状態を示すものであって、位置情報の測位タイミングが密である場合には、その状態情報も多くなり、見づらいものとなる。図７（ｂ）は、本実施形態の第１段階のマージをしたときの表示状態を示すものである。所定時間単位でマージしてクラスタ化することで、見やすいものとなる。図７（ｃ）は、本実施形態の第２段階のマージをしたときの表示状態を示すものである。状態情報及び地名情報を用いてマージしてクラスタ化することで、さらに見やすいものとなっている。なお、本実施形態では、状態情報と地名情報との両方を用いてマージし、クラスタ化しているが、これに限るものではなく、例えば状態情報または地名情報のいずれか一方が一致しているユーザ履歴情報をマージし、クラスタ化するようにしてもよい。
【００４１】
本実施形態のユーザ移動履歴表示装置２００において、ユーザ移動履歴取得部２０１は、所定時間ごとに取得される、ユーザの位置に基づいたユーザの状態を示す状態情報と、当該状態情報の取得時刻を示す時刻情報とを対応付けたユーザ履歴情報を記憶するサーバ３００（ユーザ移動履歴データベース３００ａ）から複数のユーザ履歴情報を取得する。そして、統合部２０２（時間単位履歴クラスタ生成部２０３）は、時刻情報に基づいて時系列順で並んだ複数のユーザ履歴情報のうち、所定時間単位に占める割合の大きいユーザ履歴情報に統合し（図７（ｂ）参照）、表示部２０７は、統合されたユーザ履歴情報を時刻情報順に表示する。これにより、ユーザ履歴情報をそのまま表示した場合と比較して、表示の煩雑さを解消することができ、人にとって違和感のない表示を実現することができる。さらに、ユーザ履歴情報にノイズ（例えば、誤った状態情報が含まれているなど）が含まれていたとしても、そのノイズを除去することができ、より正しいユーザ履歴情報を表示することができる。
【００４２】
また、本実施形態のユーザ移動履歴表示装置２００において、統合部２０２（行動情報履歴クラスタ生成部２０４）は、さらに状態情報が同一となる、時系列的に隣接するユーザ履歴情報同士を統合することにより（図７（ｃ）参照）、同じ状態情報を含んだユーザ履歴情報を並べて表示することが無くなり、より見やすい表示を実現することができる。
【００４３】
また、本実施形態のユーザ移動履歴表示装置２００において、サーバ３００（ユーザ移動履歴データベース３００ａ）には、状態情報に加えて、ユーザの位置に基づいた地名情報が対応付けられたユーザ履歴情報が記憶され、統合部２０２（行動情報履歴クラスタ生成部２０４）は、さらに地名情報および状態情報の両方が同一となる、時系列的に隣接するユーザ履歴情報同士を統合する。これにより、同じ状態情報および地名情報を含んだユーザ履歴情報を並べて表示することが無くなり、より見やすい表示を実現することができる。
【００４４】
なお、本実施形態のユーザ移動履歴表示装置２００において、統合部２０２（行動情報履歴クラスタ生成部２０４）は、さらに地名情報のみが同一となる、時系列的に隣接するユーザ履歴情報同士を統合するようにしてもよい。例えば、図７（ｃ）において、８：３０台の行動情報および地名情報が“出勤（鎌倉）”、７：９：００台の行動情報および地名情報が“会社（横須賀）”と表示されることになるが、上述の地名情報のみの同一性に基づいて統合処理が行われるとすると、例えば、８：３０から９：３０までのユーザ履歴情報はその後半部分に統合するようにユーザ履歴情報として“会社（横須賀）”に統合処理してもよい。
【００４５】
なお、本実施形態では、ユーザ移動履歴表示装置２００は、ネットワーク上に配置されている装置として説明しているが、これに限るものではない。例えば、移動機１００がユーザ移動履歴表示装置２００として機能するようにしてもよい。その場合、移動機１００は、ユーザ移動履歴データベース３００ａを内部に備え、自機の位置測位を行うたびに、その位置情報を、状態情報と対応付けてユーザ移動履歴データベース３００ａにユーザ履歴情報として登録する。そして、ユーザによる操作または所定のタイミングでユーザ履歴情報のマージ処理を行う。これにより、移動機１００においてもユーザ移動履歴表示装置２００として機能することができる。
【符号の説明】
【００４６】
１…ユーザ移動履歴表示システム、１００…移動機、２００…ユーザ移動履歴表示装置、２０１…ユーザ移動履歴取得部、２０２…統合部、２０３…時間単位履歴クラスタ生成部、２０４…行動情報履歴クラスタ生成部、２０５…地名割当部、２０６…履歴クラスタ出力部、２０７…表示部、３００…サーバ、３００ａ…ユーザ移動履歴データベース、３００ｂ…地理データベース。
【図１】
2011043972.tif 000003
【図２】
2011043972.tif 000004
【図３】
2011043972.tif 000005
【図４】
2011043972.tif 000006
【図５】
2011043972.tif 000007
【図６】
2011043972.tif 000008
【図７】
2011043972.tif 000009